(57)【要約】【課題】使用者が意図しない操作が行われた場合に、待機状態を維持することができる画像表示システム、表示制御方法、表示制御プログラム、記録媒体及び画像出力装置を提供すること。【解決手段】画像表示装置４，２１と、オブジェクトが含まれる表示画像に係る画像情報を出力する画像出力装置２と、オブジェクトを操作する操作装置３とを備えた画像表示システム１の画像出力装置は、画像表示装置４，２１による表示状態を制御する制御手段２５を備える。制御手段２５は、画像表示装置４，２１の表示状態を待機状態に設定する待機状態設定部と、表示状態が待機状態に設定されると、表示画像におけるオブジェクトの周囲に所定の大きさの緩衝領域を設定する緩衝領域設定部と、緩衝領域外にオブジェクトが移動したか否かを判定する移動判定部と、移動したと判定されると、待機状態を解除する待機状態解除部とを備える。【選択図】図２
2008151874.tif 000002
【特許請求の範囲】
【請求項１】
入力する画像情報に応じた画像を表示する画像表示装置と、当該画像表示装置に、オブジェクトが含まれる表示画像に係る画像情報を出力する画像出力装置と、前記表示画像上で前記オブジェクトを操作する操作装置とを備えた画像表示システムであって、
前記画像出力装置は、前記画像表示装置による表示状態を制御する制御手段を備え、
前記制御手段は、
前記画像表示装置の表示状態を待機状態に設定する待機状態設定部と、
前記待機状態設定部により前記待機状態に設定されると、前記表示画像における前記オブジェクトの周囲に所定の大きさの緩衝領域を設定する緩衝領域設定部と、
前記操作装置に対する操作に応じて、前記オブジェクトが前記緩衝領域外に移動したか否かを判定する移動判定部と、
前記移動判定部により、前記オブジェクトが前記緩衝領域外に移動したと判定されると、前記待機状態を解除する待機状態解除部とを備えることを特徴とする画像表示システム。
【請求項２】
請求項１に記載の画像表示システムにおいて、
前記オブジェクトは、ポインタであり、
前記操作装置は、ポインティングデバイスであることを特徴とする画像表示システム。
【請求項３】
請求項１または請求項２に記載の画像表示システムにおいて、
前記緩衝領域は、前記オブジェクトを中心とする略円形状に設定されることを特徴とする画像表示システム。
【請求項４】
請求項１から請求項３のいずれかに記載の画像表示システムにおいて、
前記画像表示装置は、
前記画像情報が所定時間入力しないと、省電力状態となるように構成され、
前記画像出力装置は、
前記待機状態設定部により、前記画像表示装置の表示状態が待機状態に設定されると、前記画像情報の出力を停止する情報出力部を備えることを特徴とする画像表示システム。
【請求項５】
入力する画像情報に応じた画像を表示する画像表示装置と、当該画像表示装置に、オブジェクトが含まれる表示画像に係る画像情報を出力する画像出力装置と、前記表示画像上で前記オブジェクトを操作する操作装置とを備えた画像表示システムに用いられ、前記画像表示装置の表示状態を制御する表示制御方法であって、
前記画像表示装置の表示状態を待機状態に設定する待機状態設定ステップと、
前記表示画像における前記オブジェクトの周囲に所定の大きさの緩衝領域を設定する緩衝領域設定ステップと、
前記オブジェクトが前記緩衝領域外に移動したか否かを判定する移動判定ステップと、
前記移動判定ステップにより、前記オブジェクトが前記緩衝領域外に移動したと判定されると、前記待機状態を解除する待機状態解除ステップとを有することを特徴とする表示制御方法。
【請求項６】
入力する画像情報に応じた画像を表示する画像表示装置と、当該画像表示装置に、オブジェクトが含まれる表示画像に係る画像情報を出力する画像出力装置と、前記表示画像上で前記オブジェクトを操作する操作装置とを備えた画像表示システムの前記画像出力装置により実行され、前記画像表示装置の表示状態を制御する表示制御プログラムであって、
前記画像表示装置の表示状態を待機状態に設定する待機状態設定ステップと、
前記表示画像における前記オブジェクトの周囲に所定の大きさの緩衝領域を設定する緩衝領域設定ステップと、
前記オブジェクトが前記緩衝領域外に移動したか否かを判定する移動判定ステップと、
前記移動判定ステップにより、前記オブジェクトが前記緩衝領域外に移動したと判定されると、前記待機状態を解除する待機状態解除ステップとを有することを特徴とする表示制御プログラム。
【請求項７】
請求項６に記載の表示制御プログラムをコンピュータ読取可能に記録したことを特徴とする記録媒体。
【請求項８】
オブジェクトが含まれる表示画像を表示する画像表示装置と、前記オブジェクトを操作する操作装置とを備えた画像表示システムに用いられ、前記画像表示装置に前記画像情報を出力する画像出力装置であって、
前記画像表示装置の表示状態を制御する制御手段を備え、
前記制御手段は、
前記画像表示装置の表示状態を待機状態に設定する待機状態設定部と、
前記待機状態設定部により前記表示状態が前記待機状態に設定されると、前記表示画像における前記オブジェクトの周囲に所定の大きさの緩衝領域を設定する緩衝領域設定部と、
前記オブジェクトが前記緩衝領域外に移動したか否かを判定する移動判定部と、
前記移動判定部により、前記オブジェクトが前記緩衝領域外に移動したと判定されると、前記待機状態を解除する待機状態解除部とを備えることを特徴とする画像出力装置。
【発明の詳細な説明】
【技術分野】
【０００１】
本発明は、入力する画像情報に応じた画像を表示する画像表示装置と、当該画像表示装置に、オブジェクトが含まれる表示画像に係る画像情報を出力する画像出力装置と、前記表示画像上で前記オブジェクトを操作する操作装置とを備えた画像表示システム、当該画像表示システムに用いられる表示制御方法、表示制御プログラム、記録媒体及び画像出力装置に関する。
【背景技術】
【０００２】
従来、液晶ディスプレイやプロジェクタ等の画像表示装置に所定の画像に係る画像情報を出力する画像出力装置が知られている。このような画像出力装置としては、例えば、所定の処理を実行するＰＣ（Personal Computer）や、ＣＤ（Compact Disc）及びＤＶＤ（Digital Versatile Disc）等の記録媒体に記録された画像情報を再生するプレイヤ等が挙げられる。
このうち、ＰＣにおいては、マウス等のポインティングデバイスを操作したり、あるいは、キーボードに対する入力操作によって、当該ＰＣに所定の操作を実行させ、当該実行結果を含む画像に係る画像情報を画像表示装置に出力している。
【０００３】
ところで、ＰＣにおいては、ＯＳ（Operation System）により、ポインティングデバイスやキーボードに対する入力操作が所定時間行われなかった場合に、画像表示装置への画像情報の出力を停止し、当該画像表示装置がスタンバイ状態となることで、省電力化を図る表示制御方法が知られている。しかしながら、このような表示制御方法では、例えば、ＰＣが音楽再生可能に構成され、音楽再生に係る入力操作が行われた場合においても、スタンバイ状態が解除されてしまう。このような音楽再生中では、画像表示装置による画像表示は必ずしも必要ではないため、消費電力が大きくなってしまうという問題がある。このような問題に対し、ＰＣに対して所定の操作が入力された際には、スタンバイ状態を継続させる表示制御方法が知られている（例えば、特許文献１参照）。
【０００４】
この特許文献１に記載の表示制御方法においては、キーボード及びポインティングデバイスであるマウスパッドに対する使用者の入力操作を、スタンバイ状態から復帰する第１の入力操作と、スタンバイ状態を維持する第２の入力操作にグループ分けし、例えば、音楽再生に係る第２の入力操作が行われた場合には、スタンバイ状態を解除しない。これにより、音楽再生を継続したまま、ＰＣの省電力化を図ることができる。
【０００５】
【特許文献１】特開２００２−７３２２５号公報
【発明の開示】
【発明が解決しようとする課題】
【０００６】
しかしながら、特許文献１に記載の表示制御方法では、使用者が意図せずにポインティングデバイスを動かした場合、スタンバイ状態が解除されてしまうという問題がある。すなわち、ＰＣの操作中には、マウス等のポインティングデバイスによる入力操作が主となるが、このようなポインティングデバイスに手が当たるなどして不意の操作で、ポインタやコンテンツ領域等のオブジェクトが僅かに動いた場合に、スタンバイ状態が解除されてしまうという問題がある。
【０００７】
本発明の目的は、使用者が意図しない操作が行われた場合に、待機状態を維持することができる画像表示システム、表示制御方法、表示制御プログラム、記録媒体及び画像出力装置を提供することである。
【課題を解決するための手段】
【０００８】
前記した目的を達成するために、本発明の画像表示システムは、入力する画像情報に応じた画像を表示する画像表示装置と、当該画像表示装置に、オブジェクトが含まれる表示画像に係る画像情報を出力する画像出力装置と、前記表示画像上で前記オブジェクトを操作する操作装置とを備えた画像表示システムであって、前記画像出力装置は、前記画像表示装置による表示状態を制御する制御手段を備え、前記制御手段は、前記画像表示装置の表示状態を待機状態に設定する待機状態設定部と、前記待機状態設定部により前記待機状態に設定されると、前記表示画像における前記オブジェクトの周囲に所定の大きさの緩衝領域を設定する緩衝領域設定部と、前記操作装置に対する操作に応じて、前記オブジェクトが前記緩衝領域外に移動したか否かを判定する移動判定部と、前記移動判定部により、前記オブジェクトが前記緩衝領域外に移動したと判定されると、前記待機状態を解除する待機状態解除部とを備えることを特徴とする。
【０００９】
ここで、画像表示装置は、例えば、液晶、プラズマ、有機ＥＬ（Electroluminescence）及びＣＲＴ（Cathode Ray Tube）等の各種ディスプレイや、プロジェクタ等の表示装置を例示することができる。また、画像出力装置としては、ＰＣ（Personal Computer）や、ＣＤ（Compact Disc）及びＤＶＤ（Digital Versatile Disc）等のディスク型記録媒体を再生可能に構成された再生装置等を例示することができる。
また、待機状態とは、通常の画像が表示される通常表示状態ではない状態であり、例えば、画像表示を停止する等の省電力状態や、スクリーンセイバー等の画像が表示されるスタンバイ状態を挙げることができる。
【００１０】
本発明によれば、待機状態設定部により、画像表示装置の表示状態が待機状態に設定されると、緩衝領域設定部により、表示画像に含まれるオブジェクトの周囲に所定の大きさの緩衝領域が設定される。そして、操作装置に対する操作に応じて、オブジェクトが緩衝領域外に移動したか否かが移動判定部により判定され、移動したと判定されると、待機状態解除部により、画像表示装置の表示状態として設定された待機状態が解除される。
これによれば、使用者の操作装置に対する操作に応じてオブジェクトが移動した場合でも、当該オブジェクトが緩衝領域設定部により設定された緩衝領域外に移動しなかった場合には、表示状態として設定された待機状態が解除されない。このため、使用者が意図しない操作装置に対する操作により、緩衝領域を越えない程度にオブジェクトが移動した場合には、待機状態を維持することができる。従って、前述のような操作装置に対する不要な入力操作に対して、画像表示装置の表示状態として設定された待機状態を維持することができ、例えば、画像表示装置による画像表示を行わない場合には、省電力化を図ることができ、また、スクリーンセイバー等の画像が表示される場合には、画像表示装置の画像形成領域における焼き付き等を抑えることができる。
【００１１】
本発明では、前記オブジェクトは、ポインタであり、前記操作装置は、ポインティングデバイスであることが好ましい。
ここで、ポインタとは、操作装置に対する入力操作に応じて表示画像上を移動し、他のオブジェクトの選択及び移動等を行う記号を指す。
本発明によれば、ポインティングデバイスを動かすなどして、表示画像上で移動頻度の高いポインタが使用者の意図に反して移動した場合でも、確実に表示状態を待機状態に維持することができる。従って、前述の省電力化及び焼き付き抑制の効果を確実に奏することができる。特に、ポインティングデバイスは、使用者が意図せずに動かしてしまう場合が多いため、ポインタが緩衝領域外に移動したか否かを判定することにより、使用者の意図に応じた待機状態の解除及び維持を行うことができる。
【００１２】
本発明では、前記緩衝領域は、前記オブジェクトを中心とする略円形状に設定されることが好ましい。
本発明によれば、緩衝領域が、操作装置によって操作されるオブジェクトを中心とした略円形状に設定されるので、当該オブジェクトがどの方向に同じ移動範囲で移動した場合でも、当該オブジェクトの移動範囲が緩衝領域の半径を越えない限りは、待機状態を維持することができる。従って、ポインタが僅かに動いた場合でも、当該ポインタの移動方向がどの方向であっても、確実に待機状態を維持することができる。
【００１３】
本発明では、前記画像表示装置は、前記画像情報が所定時間入力しないと、省電力状態となるように構成され、前記画像出力装置は、前記待機状態設定部により、前記画像表示装置の表示状態が待機状態に設定されると、前記画像情報の出力を停止する情報出力部を備えることが好ましい。
本発明によれば、待機状態設定部により画像表示装置の表示状態が待機状態に設定された場合には、情報出力部が表示画像に係る画像情報の出力を停止し、これに応じて、画像表示装置が省電力状態となる。これによれば、表示状態が待機状態に設定されていれば、画像表示装置の消費電力を低減させることができるので、前述のように、使用者による意図しない操作に対して待機状態が維持される構成では、一層の消費電力の低減を図ることができる。従って、画像表示システム全体の省電力化を図ることができる。
【００１４】
また、本発明の表示制御方法は、入力する画像情報に応じた画像を表示する画像表示装置と、当該画像表示装置に、オブジェクトが含まれる表示画像に係る画像情報を出力する画像出力装置と、前記表示画像上で前記オブジェクトを操作する操作装置とを備えた画像表示システムに用いられ、前記画像表示装置の表示状態を制御する表示制御方法であって、前記画像表示装置の表示状態を待機状態に設定する待機状態設定ステップと、前記表示画像における前記オブジェクトの周囲に所定の大きさの緩衝領域を設定する緩衝領域設定ステップと、前記オブジェクトが前記緩衝領域外に移動したか否かを判定する移動判定ステップと、前記移動判定ステップにより、前記オブジェクトが前記緩衝領域外に移動したと判定されると、前記待機状態を解除する待機状態解除ステップとを有することを特徴とする。
【００１５】
本発明によれば、前述の画像表示システムと同様の効果を奏することができる。
すなわち、待機状態設定ステップにて、画像表示装置の表示状態が待機状態に設定された場合、緩衝領域設定ステップにて、表示画像中のオブジェクトの周囲に緩衝領域が設定される。そして、移動判定ステップにて、オブジェクトが緩衝領域外に移動したと判定されると、待機状態解除ステップにて、待機状態が解除される。
これによれば、オブジェクトが緩衝領域外に移動した場合に、待機状態が解除されるので、操作装置に対する操作により、オブジェクトが僅かに移動した場合には、待機状態が解除されないこととなる。従って、操作装置に対する使用者の意図しない操作によってオブジェクトが移動した場合に、画像表示装置の表示状態として設定された待機状態を維持することができる。
【００１６】
また、本発明の表示制御プログラムは、入力する画像情報に応じた画像を表示する画像表示装置と、当該画像表示装置に、オブジェクトが含まれる表示画像に係る画像情報を出力する画像出力装置と、前記表示画像上で前記オブジェクトを操作する操作装置とを備えた画像表示システムの前記画像出力装置により実行され、前記画像表示装置の表示状態を制御する表示制御プログラムであって、前記画像表示装置の表示状態を待機状態に設定する待機状態設定ステップと、前記表示画像における前記オブジェクトの周囲に所定の大きさの緩衝領域を設定する緩衝領域設定ステップと、前記オブジェクトが前記緩衝領域外に移動したか否かを判定する移動判定ステップと、前記移動判定ステップにより、前記オブジェクトが前記緩衝領域外に移動したと判定されると、前記待機状態を解除する待機状態解除ステップとを有することを特徴とする。
【００１７】
本発明によれば、前述の表示制御方法と同様の効果を奏することができる。
すなわち、本発明の表示制御プログラムを画像出力装置が実行し、前述の待機状態設定ステップ、緩衝領域設定ステップ、移動判定ステップ及び待機状態解除ステップをそれぞれ実行することにより、表示画像に含まれるオブジェクトが緩衝領域外に移動した場合に、画像表示装置の表示状態として設定された待機状態が解除される。これによれば、オブジェクトが僅かに移動した場合では、当該オブジェクトが緩衝領域外に移動しないこととなるので、画像表示装置の待機状態を維持することができる。従って、使用者が意図しない操作が操作装置に対して行われ、オブジェクトが僅かに移動した場合でも、画像表示装置の待機状態を維持し続けることができる。
【００１８】
また、本発明の記録媒体は、前述の表示制御プログラムをコンピュータ読取可能に記録したことを特徴とする。
本発明によれば、画像出力装置が、当該記録媒体に記録された表示制御プログラムを読み取って実行することにより、前述の表示制御プログラムと同様の効果を奏することができる。また、記録媒体として、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、ＲＯＭ（Read Only Memory）及びフラッシュメモリ等の半導体メモリ等を用いることができ、これらを利用して、前述の表示制御プログラムをインストール、実行及び配布することができる。
【００１９】
また、本発明の画像出力装置は、オブジェクトが含まれる表示画像を表示する画像表示装置と、前記オブジェクトを操作する操作装置とを備えた画像表示システムに用いられ、前記画像表示装置に前記画像情報を出力する画像出力装置であって、前記画像表示装置の表示状態を制御する制御手段を備え、前記制御手段は、前記画像表示装置の表示状態を待機状態に設定する待機状態設定部と、前記待機状態設定部により前記表示状態が前記待機状態に設定されると、前記表示画像における前記オブジェクトの周囲に所定の大きさの緩衝領域を設定する緩衝領域設定部と、前記オブジェクトが前記緩衝領域外に移動したか否かを判定する移動判定部と、前記移動判定部により、前記オブジェクトが前記緩衝領域外に移動したと判定されると、前記待機状態を解除する待機状態解除部とを備えることを特徴とする。
【００２０】
本発明によれば、前述の画像表示システムと同様の効果を奏することができる。
すなわち、待機状態設定部が、画像表示装置の表示状態を待機状態に設定した場合に、緩衝領域設定部が、表示画像に含まれるオブジェクトの周囲に緩衝領域を設定する。そして、移動判定部が、当該オブジェクトが緩衝領域外に移動したか否かを判定し、移動したと判定された場合に、待機状態解除部が、待機状態を解除する。
これによれば、オブジェクトが僅かに移動した場合に、画像表示装置の待機状態を維持することができる。従って、使用者が意図しない操作装置に対する操作に応じて、オブジェクトが移動した場合でも、当該オブジェクトが緩衝領域を越えない限り、画像表示装置の表示状態として設定された待機状態を維持し続けることができる。
【発明を実施するための最良の形態】
【００２１】
以下、本発明の一実施形態を図面に基づいて説明する。
〔画像表示システム１の全体構成〕
図１は、本実施形態の画像表示システム１の全体構成を示す図である。
画像表示システム１は、ＰＣ２から出力された画像情報に応じた画像をプロジェクタ４が、スクリーンＳＣ上に投射することで、画像が表示されるシステムである。
この画像表示システム１は、画像出力装置であり、かつ、画像表示装置でもあるＰＣ２と、当該ＰＣ２に接続されるポインティングデバイスであるマウス３と、ＰＣ２にケーブル５を介して接続されるプロジェクタ４とを備えて構成されている。
【００２２】
〔プロジェクタ４の構成〕
プロジェクタ４は、本発明の画像表示装置に相当し、詳しい図示を省略したが、光源と、当該光源から射出された光束を変調して、ＰＣ２から入力する画像情報に応じた画像光を形成する光変調装置と、当該画像光をスクリーンＳＣ上に投射する投射光学装置とを備えて構成されている。
このプロジェクタ４は、ＰＣ２から画像情報が入力しない場合でも、所定時間内であれば、直前に入力した画像情報に係る画像表示を維持するが、当該画像情報が入力しない状態が所定時間以上継続した場合には、光源の発光輝度を低下させたり、あるいは、消灯させたりするなどの省電力状態に遷移する。また、再び画像情報が入力した場合には、プロジェクタ４は、光源の発光輝度を元に戻すなどの通常表示状態に遷移する。
【００２３】
このようなプロジェクタ４を構成する光源としては、高圧水銀ランプ等の放電光源ランプや、ＬＥＤ（Light Emitting Diode）等の発光素子により構成することができる。また、光変調装置は、液晶ライトバルブを例示することができるほか、マイクロミラーを用いたデバイスなど、液晶以外の光変調装置でもよい。
なお、本実施形態では、画像表示装置としてプロジェクタ４を備える構成としたが、液晶、プラズマ、有機ＥＬ（Electroluminescence）及びＣＲＴ（Cathode Ray Tube）等のディスプレイで構成することも可能である。
【００２４】
〔ＰＣ２の構成〕
図２は、ＰＣ２の構成を示すブロック図である。
ＰＣ２は、本実施形態では、ノート型ＰＣとして構成され、当該ＰＣ２に接続されたマウス３及びＰＣ２に設けられたキーボード２２に対する使用者の入力操作に応じて、所定の処理を実行する。そして、ＰＣ２は、当該処理結果を示す表示画像に係る画像情報を、プロジェクタ４及び当該ＰＣ２に設けられた表示手段２１に出力し、当該プロジェクタ４及び表示手段２１により当該画像情報に係る画像を表示させる。
このＰＣ２は、図２に示すように、表示手段２１、キーボード２２、信号入力手段２３、記憶手段２４、制御手段２５及びメモリ２７と、これらを内部に収納する筐体（図示省略）とを備えて構成されている。
【００２５】
図３は、表示手段２１により表示される画像を示す図であり、通常表示状態から待機状態に切り替わった際の表示手段２１の表示状態を示す図である。また、図４は、待機状態から通常表示状態に切り替わった際の表示手段２１の表示状態を示す図である。
表示手段２１は、前述のプロジェクタ４と同様に本発明の画像表示装置に相当し、詳しい図示を省略したが、液晶パネル、バックライト及び液晶パネルを駆動するドライバを備えて構成され、図３及び図４の通常表示状態に示す表示画像Ｓ、すなわち、後述する制御手段２５から入力する画像情報に応じた表示画像Ｓを表示する。このような表示画像Ｓには、アプリケーションに対応するウィンドウ領域、及び、エラーメッセージの表示及び操作の確認要求等に用いられるダイアログ等のウィンドウ領域であるコンテンツ領域ＣＡ、並びに、当該表示画像Ｓ上を移動し、かつ、コンテンツ領域ＣＡの選択及び移動等を行う記号であるポインタＰが含まれる。なお、表示手段２１により表示される表示画像Ｓは、プロジェクタ４により形成及び投射される表示画像Ｓと同じ画像である。
【００２６】
この表示手段２１は、プロジェクタ４と同様に、画像情報が入力しない場合でも、所定時間内であれば直前に入力した画像情報に係る表示画像Ｓの表示を維持するが、図３に示すように、ドライバに制御手段２５から画像情報が所定時間以上入力しない場合には、表示画像Ｓを形成表示する通常表示状態から、バックライトの電源をオフするとともに液晶パネルによる画像形成を停止する省電力状態に遷移する。また、省電力状態の表示手段２１に、制御手段２５から画像情報が入力すると、図４に示すように、当該省電力状態から、バックライトの電源をオンするとともに入力する画像情報に応じた表示画像Ｓを形成表示する通常表示状態に遷移する。
【００２７】
図２に戻り、キーボード２２は、複数のキーを備え、使用者により入力されたキーに応じた操作信号を信号入力手段２３に出力する。
信号入力手段２３は、キーボード２２及び操作装置としてのマウス３から入力する操作信号を内部処理可能なデジタル信号に変換し、当該デジタル変換した操作信号を制御手段２５に出力する。
【００２８】
記憶手段２４は、本実施形態ではＨＤＤ（Hard Disk Drive）等により構成され、制御手段２５での処理に必要な各種プログラム及びデータを記憶する。このようなプログラムとして、記憶手段２４は、例えば、ＰＣ２全体を制御するＯＳ（Operation System）や、後述する表示制御処理に用いられる表示制御プログラム等を挙げることができる。
なお、本実施形態では、記憶手段２４は、ＨＤＤを備えて構成したが、フラッシュメモリ等の半導体素子や、ＣＤ（Compact Disc）及びＤＶＤ（Digital Versatile Disc）等の記録媒体に記録された情報を読取可能に構成されたドライブ等により構成してもよい。
メモリ２７は、制御手段２５による処理において一時的にデータを記憶する作業メモリとして利用されるほか、当該制御手段２５により一画面分の画像に係る画像情報が生成される画像形成領域として利用される。
【００２９】
〔制御手段２５の構成〕
図５は、制御手段２５の構成を示すブロック図である。
制御手段２５は、ＣＰＵ（Central Processing Unit）等により構成され、ＰＣ２全体の駆動を制御する。具体的に、制御手段２５は、記憶手段２４に記憶されたＯＳを読み出してＰＣ２全体の駆動を制御するほか、当該記憶手段２４に記憶された表示制御プログラムを読み出して、後述する表示制御処理を実行し、表示手段２１及びプロジェクタ４の表示状態を制御する。
このような制御手段２５は、図５に示すように、位置取得部２５１、信号判定部２５２、移動部２５３、状態判定部２５４、情報出力部２５５、タイマ２５６、待機状態設定部２５７、緩衝領域設定部２５８、移動軌跡取得部２５９、移動判定部２６０、待機状態解除部２６１及びタイマリセット部２６２を備えて構成されている。
【００３０】
位置取得部２５１は、メモリ２７上に形成された表示画像Ｓにおけるオブジェクトの座標位置を取得する。具体的に、位置取得部２５１は、表示画像Ｓにおける左上を原点とする水平方向のＸ座標、及び、垂直方向のＹ座標を、各オブジェクトについて取得する。この際、位置取得部２５１は、ポインタＰの場合では、当該ポインタＰが指し示す位置のＸＹ座標を取得し、コンテンツ領域ＣＡの場合では、当該コンテンツ領域ＣＡの左上のＸＹ座標及び右下のＸＹ座標をそれぞれ取得する。
【００３１】
信号判定部２５２は、信号入力手段２３から入力する操作信号の内容を判定し、当該操作信号に応じた処理を制御手段２５に実行させる。例えば、信号判定部２５２は、入力した操作信号に、表示手段２１及びプロジェクタ４により表示される画像に含まれるオブジェクトであるポインタＰ及びコンテンツ領域ＣＡを移動させる操作信号が含まれるか否かを判定する。
【００３２】
移動部２５３は、信号判定部２５２により、マウス３が操作された際の操作信号が入力したと判定された場合に、当該マウス３の操作に応じて表示画像Ｓ上のポインタＰを移動させる。この際、マウス３に設けられたキーが入力され、コンテンツ領域ＣＡが選択されたまま当該マウス３が動かされた場合（当該コンテンツ領域ＣＡがドラッグされた場合）には、移動部２５３は、ポインタＰだけでなくコンテンツ領域ＣＡも移動させる。
【００３３】
状態判定部２５４は、現在設定されている表示状態を判定する。具体的に、状態判定部２５４は、表示手段２１及びプロジェクタ４の表示状態が、後述する待機状態設定部２５７により待機状態に設定されているのか、あるいは、待機状態解除部２６１により当該待機状態が解除され、通常表示状態に設定されているのかを判定する。
情報出力部２５５は、状態判定部２５４により、通常表示状態に設定されていると判定された場合に、表示手段２１及びプロジェクタ４に、メモリ２７上に形成された表示画像Ｓに係る画像情報を出力する。なお、本実施形態では、情報出力部２５５は、表示状態が待機状態に設定されている場合には、表示手段２１及びプロジェクタ４に対する表示画像Ｓに係る画像情報の出力を停止するとしたが、予め設定されたスクリーンセイバー等の所定の画像に係る画像情報を出力するようにしてもよい。
【００３４】
タイマ２５６は、マウス３及びキーボード２２から信号入力手段２３を介して操作信号が入力しなくなってからの時間を計時する。具体的に、タイマ２５６は、予め設定された設定時間からのカウントダウンを実行する。
待機状態設定部２５７は、タイマ２５６を監視し、当該タイマ２５６がタイムアップ時間に達した場合には、表示状態を待機状態に設定する。これにより、情報出力部２５５による画像情報の出力が停止され、表示手段２１及びプロジェクタ４に画像情報が入力しなくなるため、当該表示手段２１及びプロジェクタ４は省電力状態に遷移する。
【００３５】
図６は、表示画像Ｓ中に設定された緩衝領域ＢＡを示す図である。
緩衝領域設定部２５８は、待機状態設定部２５７により表示状態が待機状態に設定された際に、メモリ２７上に形成された表示画像Ｓにおける現在のポインタＰの周囲に緩衝領域ＢＡを設定する。
具体的に、緩衝領域設定部２５８は、図６に示すように、位置取得部２５１で取得されたポインタＰのＸＹ座標（当該ポインタＰが指し示すＸＹ座標）を中心とし、所定の半径を有する円状の緩衝領域を表示画像Ｓ上に設定する。なお、この緩衝領域ＢＡは、メモリ２７上の仮想の領域であり、表示画像Ｓ中の表示項目としては含まれない。
【００３６】
図５に戻り、移動軌跡取得部２５９は、所定時間内のマウス３の移動量に伴うポインタＰの移動軌跡を取得する。例えば、この移動軌跡は、緩衝領域設定部２５８により緩衝領域ＢＡが新たに設定されてからの連続したポインタＰの移動軌跡とすることができる。
【００３７】
図７は、緩衝領域ＢＡを通過したポインタＰを示す図である。
移動判定部２６０は、図７に示すように、移動軌跡取得部２５９により取得されたポインタＰの移動軌跡に基づいて、当該ポインタＰが緩衝領域ＢＡ外に移動したか否かを判定する。
図５に戻り、待機状態解除部２６１は、移動判定部２６０により、ポインタＰが緩衝領域ＢＡ外に移動したと判定された場合に、表示手段２１及びプロジェクタ４の表示状態として設定された待機状態を解除し、当該表示状態を通常表示状態に設定する。
タイマリセット部２６２は、待機状態解除部２６１により、待機状態が解除された場合に、タイマ２５６をリセットし、当該タイマ２５６による設定時間からのカウントダウンを再び開始させる。
【００３８】
〔表示制御処理〕
以下、ＰＣ２の制御手段２５により実行される表示制御処理について説明する。
図８は、表示制御処理の一工程である待機状態設定処理の処理過程を示すフローチャートである。
表示制御処理は、ＰＣ２の制御手段２５が、記憶手段２４に記憶された表示制御プログラムを読み出して、当該表示制御プログラムに沿って、画像情報の出力状態を切り替えることにより、表示手段２１及びプロジェクタ４による表示状態を制御する処理であり、ＰＣ２の駆動中には常に実行されている。この表示制御処理は、図８に示す待機状態設定処理ＳＴ１と、図９に示す緩衝領域設定処理ＳＴ２と、図１０に示す待機状態解除処理ＳＴ３とにより構成されている。
【００３９】
待機状態設定処理ＳＴ１は、操作信号の入力がなく、タイマ２５６がタイムアップ時間に達した場合に、表示状態を待機状態に設定して、情報出力部２５５による画像情報の出力を停止させる処理であり、これにより、表示手段２１及びプロジェクタ４が省電力状態に設定される。
この待機状態設定処理ＳＴ１では、図８に示すように、まず、タイマ２５６が、設定時間からカウントダウン中の時間がタイムアップ時間に達したか否かを判定する（タイマ判定ステップＳＴ１１）。ここで、タイムアップ時間に達していない場合には、現在設定されている表示状態（通常表示状態）が維持され、タイマ２５６は、カウントダウンを継続する。
【００４０】
一方、タイマ２５６がタイムアップ時間に達した場合には、待機状態設定部２５７が、表示手段２１及びプロジェクタ４の表示状態を待機状態に設定する（ステップＳＴ１２）。これにより、情報出力部２５５による表示手段２１及びプロジェクタ４への画像情報出力が停止され、当該表示手段２１及びプロジェクタ４は、省電力状態に遷移する。
このステップＳＴ１２の後、制御手段２５は、緩衝領域設定処理ＳＴ２を実行する。
【００４１】
図９は、緩衝領域設定処理ＳＴ２の処理過程を示すフローチャートである。
緩衝領域設定処理ＳＴ２は、現在のポインタＰが指し示す座標を中心とした緩衝領域ＢＡを表示画像Ｓ上に設定する処理である。
この緩衝領域設定処理ＳＴ２では、まず、位置取得部２５１が、現在のポインタＰが指し示す座標を取得する（位置取得ステップＳＴ２１）。
この後、緩衝領域設定部２５８が、取得されたポインタＰが指し示す座標を中心とする所定の半径を有する略円形状の緩衝領域ＢＡを、メモリ２７上に設定する（ステップＳＴ２２）。
以上により、緩衝領域設定処理ＳＴ２は終了し、これに伴い、待機状態設定処理は終了する。
【００４２】
図１０は、待機状態解除処理ＳＴ３の処理過程を示すフローチャートである。
待機状態解除処理ＳＴ３は、マウス３及びキーボード２２から、信号入力手段２３を介して操作信号が入力した際に、前述の表示状態が待機状態に設定されている場合に、当該待機状態を解除して通常表示状態に遷移させ、現在の表示画像Ｓに係る画像情報の情報出力部２５５による出力を再開させる処理である。
この待機状態解除処理ＳＴ３では、図１０に示すように、まず、信号判定部２５２が、マウス３及びキーボード２２から信号入力手段２３を介して操作信号が入力したか否かを判定する（信号入力判定ステップＳＴ３１）。ここで、信号判定部２５２が、操作信号の入力はないと判定した場合には、当該信号判定部２５２は、操作信号を継続して監視する。
【００４３】
一方、信号判定部２５２が、操作信号の入力があったと判定した場合には、状態判定部２５４が、現在設定されている表示状態が待機状態であるのか、あるいは、通常表示状態であるのかを判定する（状態判定ステップＳＴ３２）。
ここで、状態判定部２５４が、現在設定されている表示状態が待機状態ではないと判定した場合、すなわち、通常表示状態であると判定した場合には、制御手段２５は、ステップＳＴ３８に移行する。
【００４４】
一方、状態判定部２５４が、現在設定されている表示状態が待機状態であると判定した場合には、信号判定部２５２が、入力した操作信号が、マウス３に対する操作に由来する操作信号であるのか、あるいは、キーボード２２に対する操作に由来する操作信号であるのかを判定する（信号判定ステップＳＴ３３）。
ここで、信号判定部２５２が、マウス３に対する操作に由来する操作信号ではないと判定した場合、すなわち、キーボード２２に対する操作に由来する操作信号であると判定した場合には、ステップＳＴ３７に移行する。
【００４５】
また、ステップＳＴ３３での判定処理において、信号判定部２５２が、マウス３に対する操作に由来する操作信号であると判定した場合には、当該信号判定部２５２は、当該操作信号が、ポインタＰを移動させる操作信号であるか否かを判定する（信号種別判定ステップＳＴ３４）。
ここで、信号判定部２５２が、ポインタＰを移動させる操作信号ではないと判定した場合、例えば、クリック操作のみに係る操作信号であると判定した場合には、制御手段２５は、ステップＳＴ３７に移行する。
【００４６】
一方、信号判定部２５２が、ポインタＰを移動させる操作信号であると判定した場合には、移動軌跡取得部２５９が、所定時間内の連続したポインタＰの移動軌跡を取得する（移動軌跡取得ステップＳＴ３５）。
この後、移動判定部２６０が、取得されたポインタＰの移動軌跡に基づいて、当該ポインタＰが緩衝領域ＢＡ外に移動したか否かを判定する（移動判定ステップＳＴ３６）。
【００４７】
ここで、移動判定部２６０が、ポインタＰが緩衝領域ＢＡ外に移動していないと判定した場合には、前述の緩衝領域設定処理ＳＴ２を再度実行する。これにより、現在のポインタＰの差し示す位置を中心とする緩衝領域ＢＡが新たに設定される。この後、制御手段２５は、待機状態解除処理ＳＴ３をいったん終了し、再び、信号判定部２５２により、ステップＳＴ３１が実行される。
また、ステップＳＴ３６での判定処理において、移動判定部２６０が、ポインタＰが緩衝領域ＢＡ外に移動したと判定した場合には、制御手段２５は、ステップＳＴ３７に移行する。
【００４８】
ステップＳＴ３７では、待機状態解除部２６１が、表示状態として待機状態設定部２５７により設定されていた待機状態を解除し、当該表示状態を通常表示状態に遷移させる（待機状態解除ステップＳＴ３７）。これにより、情報出力部２５５による表示画像Ｓに係る画像情報の出力が再開され、当該画像情報に応じた画像が、表示手段２１及びプロジェクタ４により表示される。この後、制御手段２５は、ステップＳＴ３８を実行する。
ステップＳＴ３８では、タイマリセット部２６２が、タイマ２５６をリセットし、当該タイマ２５６による設定時間からのカウントダウンが再開される（タイマリセットステップＳＴ３８）。
以上により、待機状態設定処理が終了するが、ステップＳＴ３８にてリセットされたタイマ２５６が、タイムアップ時間に達すると、前述の待機状態設定処理ＳＴ１により、表示状態が待機状態に設定される。
【００４９】
以上のような本実施形態の画像表示システム１によれば、以下の効果を奏することができる。
すなわち、操作装置であるマウス３及びキーボード２２に対する入力操作が所定時間行われず、タイマ２５６がタイムアップ時間に達すると、待機状態設定部２５７が、待機状態設定ステップＳＴ１２にて、表示状態を待機状態に設定する。この際、緩衝領域設定部２５８が、緩衝領域設定ステップＳＴ２２にて、オブジェクトであるポインタＰの周囲に緩衝領域ＢＡを設定する。そして、使用者のマウス３に対する操作に応じて、ポインタＰが緩衝領域ＢＡ外に移動したか否かが、移動判定ステップＳＴ３６にて、移動判定部２６０により判定され、移動したと判定されると、待機状態解除部２６１が、待機状態解除ステップＳＴ３７にて、待機状態を解除する。
【００５０】
これによれば、使用者の手が当たるなどして、当該使用者が意図せずにマウス３を動かしてしまい、これに応じてポインタＰが移動してしまった場合でも、当該ポインタＰの周囲に設定された緩衝領域ＢＡ外にポインタＰが移動しない限り、待機状態が維持される。また、使用者が意図してマウス３を操作し、緩衝領域ＢＡ外に移動させるようにポインタＰを操作した場合には、待機状態が解除されるので、表示画像Ｓに係る画像情報が情報出力部２５５により表示手段２１及びプロジェクタ４に出力されることにより、当該表示画像Ｓを表示することができる。従って、使用者の意図に反してポインタＰが移動してしまった場合に、待機状態を維持することができる。
【００５１】
また、緩衝領域ＢＡは、マウス３によって操作されるポインタＰの周囲に設定される。これによれば、緩衝領域ＢＡが、表示画像Ｓ上でコンテンツ領域ＣＡに比べて移動頻度の高いポインタＰの周囲に設定されることにより、当該ポインタＰの移動軌跡を判定することで、使用者が意図した操作であるか、あるいは、意図しない操作であるのかを判定することができる。そして、使用者が意図してポインタＰを緩衝領域ＢＡ外に移動させた場合には、待機状態を解除するように構成することができ、意図せずしてポインタＰを僅かに移動させた場合には、当該ポインタＰが緩衝領域ＢＡ外に移動しないので、確実に待機状態を維持することができる。従って、使用者の意思に応じて待機状態の設定及び解除を行うことができる。
また、ＯＳによっては、マウス３の操作によりコンテンツ領域ＣＡの選択及び移動等の操作を行う場合には、ポインタＰの操作が必要であるので、このような場合においても、使用者による待機状態を解除する操作でない操作により、ポインタＰが移動した場合には、待機状態を確実に維持することができる。
【００５２】
また、緩衝領域ＢＡは、ポインタＰが指し示す座標を中心とする所定の半径を有する円形状に設定される。これによれば、ポインタＰがどの方向に移動した場合でも、同じ距離（当該緩衝領域ＢＡの半径）以上移動して、当該ポインタＰが緩衝領域ＢＡ外に移動しない限り、待機状態を維持することができる。このため、操作装置であるマウス３がどの方向に操作された場合でも、確実に待機状態を維持することができる。従って、使用者が意図せずしてマウス３を動かしてしまった場合に、一層確実に、待機状態を維持することができる。
【００５３】
また、制御手段２５の情報出力部２５５から画像情報が所定時間入力しないと、表示手段２１の電源はオフされ、また、プロジェクタ４は光源の発光輝度を低減させる省電力状態になるように構成されている。そして、当該情報出力部２５５は、表示状態が待機状態に設定されている場合には、これら表示手段２１及びプロジェクタ４に対する画像情報の出力を停止する。これによれば、待機状態に設定されている場合には、表示手段２１及びプロジェクタ４の電力消費を抑えることができるので、前述のように、使用者が意図せずしてマウス３が操作され、ポインタＰが移動した場合でも、待機状態が維持される構成により、一層の消費電力の低減を図ることができる。従って、ＰＣ２及びプロジェクタ４の省電力化を図ることができ、ひいては、画像表示システム１全体の省電力化を図ることができる。
【００５４】
〔実施形態の変形〕
本発明は前述の実施形態に限定されるものではなく、本発明の目的を達成できる範囲での変形、改良等は本発明に含まれるものである。
前記実施形態では、画像表示装置として、ＰＣ２にケーブル５を介して接続されるプロジェクタ４と、当該ＰＣ２に設けられた表示手段２１とを例示したが、本発明は、これに限らず、表示手段２１及びプロジェクタ４の少なくともいずれかがあればよい。また、ＰＣ２は、ノート型ＰＣで構成せずに、表示手段２１が独立していてもよい。
【００５５】
前記実施形態では、オブジェクトであるポインタＰが緩衝領域ＢＡ外に移動した場合、表示状態を待機状態から通常表示状態に遷移させるとしたが、本発明はこれに限らない。すなわち、表示画像Ｓ上に存在し、マウス３及びキーボード２２の操作によって移動可能なオブジェクトであれば、当該オブジェクトの種別は問わない。例えば、該当するオブジェクトとして、コンテンツ領域ＣＡを挙げてもよい。
【００５６】
前記実施形態では、マウス３に対するクリック操作が行われた場合には、待機状態解除部２６１が、表示状態として設定された待機状態を解除するとしたが、本発明はこれに限らず、クリック操作が行われた場合でも、緩衝領域ＢＡ外にポインタＰが移動しない限りは、待機状態を維持するように構成してもよい。
【００５７】
前記実施形態では、表示手段２１及びプロジェクタ４は、所定時間、画像情報の入力がない場合には、省電力状態に設定され、また、情報出力部２５５は、待機状態設定部２５７により表示状態が待機状態に設定されると、表示手段２１及びプロジェクタ４に対する表示画像Ｓに係る画像情報の出力を停止するとしたが、本発明はこれに限らない。例えば、表示状態が待機状態に設定された場合には、画像出力装置であるＰＣ２が、表示手段２１及びプロジェクタ４の電源を直接オフするように構成してもよい。また、待機状態に設定された場合には、前述のように、ＰＣ２の情報出力部２５５が、スクリーンセイバー等の画像に係る画像情報を出力するように構成してもよい。
【００５８】
前記実施形態では、緩衝領域設定部２５８は、表示画像Ｓ中のポインタＰの指し示す座標を中心とする円形状の緩衝領域ＢＡを設定するとしたが、本発明はこれに限らない。すなわち、緩衝領域ＢＡの形状は問わない。例えば、緩衝領域設定部２５８は、矩形状の緩衝領域ＢＡを設定するように構成してもよい。
【００５９】
前記実施形態では、１つの画像表示装置として、スクリーンＳＣを観察する方向から投射を行なうフロントタイプのプロジェクタ４を例示したが、本発明はこれに限らず、スクリーンＳＣを観察する方向とは反対側から投射を行なうリアタイプのプロジェクタでも採用可能である。また、このようなプロジェクタに採用される光変調装置は、前述のように、液晶を有する光変調装置でも、液晶以外の光変調装置でも採用可能である。
さらに、本発明の画像表示システムは、画像表示装置として、例えば、液晶、プラズマ、有機ＥＬ及びＣＲＴ等のディスプレイを備える構成としてもよい。
【００６０】
前記実施形態では、画像出力装置としてＰＣ２を例示したが、本発明はこれに限らず、例えば、ＯＳＤ等のメニュー画面に係る画像情報を出力可能な装置を採用してもよい。このような装置として、ＣＤやＤＶＤ等のディスク型記録媒体に記録された画像情報を再生する再生装置を例示することができる。
【００６１】
前記実施形態では、表示制御プログラムは、ＨＤＤにより構成された記憶手段２４に記憶され、制御手段２５により読み出されることで、前述の表示制御処理が行われるとしたが、本発明はこれに限らない。例えば、表示制御プログラムは、ＤＡＴ（Digital Audio Tape）等の磁気テープ、光磁気ディスク、ＣＤ（Compact Disc）及びＤＶＤ（Digital Versatile Disc）等の光ディスク、磁気ディスク、並びに、ＲＯＭ及びフラッシュメモリ等の半導体メモリ等の記録媒体に記憶され、必要に応じて読み出されるように構成してもよい。すなわち、当該プログラムの記録形態は問わない。
【産業上の利用可能性】
【００６２】
本発明は、画像表示システムに利用でき、例えば、ＰＣ等の画像出力装置と、当該画像出力装置により出力された画像情報に応じた画像を表示する各種ディスプレイ及びプロジェクタ等の画像表示装置と、当該画像に含まれるオブジェクトを操作するポインティングデバイス等の操作装置とを備えた画像表示システムに好適に利用することができる。
【図面の簡単な説明】
【００６３】
【図１】本発明の一実施形態に係る画像表示システムの構成を示す図。
【図２】前記実施形態におけるＰＣの構成を示すブロック図。
【図３】前記実施形態における通常表示状態から待機状態に切り替わった際の表示手段の表示状態を示す図。
【図４】前記実施形態における待機状態から通常表示状態に切り替わった際の表示手段の表示状態を示す図。
【図５】前記実施形態における制御手段の構成を示すブロック図。
【図６】前記実施形態における表示画像中に設定された緩衝領域を示す図。
【図７】前記実施形態における緩衝領域を通過したポインタＰを示す図。
【図８】前記実施形態における待機状態設定処理の処理過程を示すフローチャート。
【図９】前記実施形態における緩衝領域設定処理の処理過程を示すフローチャート。
【図１０】前記実施形態における待機状態解除処理の処理過程を示すフローチャート。
【符号の説明】
【００６４】
１…画像表示システム、２…ＰＣ（画像出力装置）、３…マウス（操作装置、ポインティングデバイス）、４…プロジェクタ（画像表示装置）、２１…表示手段（画像表示装置）、２５…制御手段、２５５…情報出力部、２５７…待機状態設定部、２５８…緩衝領域設定部、２６０…移動判定部、２６１…待機状態解除部、ＢＡ…緩衝領域、Ｐ…ポインタ（オブジェクト）、Ｓ…表示画像、ＳＴ１２…待機状態設定ステップ、ＳＴ２２…緩衝領域設定ステップ、ＳＴ３６…移動判定ステップ、ＳＴ３７…待機状態解除ステップ。
【図１】
2008151874.tif 000003
【図２】
2008151874.tif 000004
【図３】
2008151874.tif 000005
【図４】
2008151874.tif 000006
【図５】
2008151874.tif 000007
【図６】
2008151874.tif 000008
【図７】
2008151874.tif 000009
【図８】
2008151874.tif 000010
【図９】
2008151874.tif 000011
【図１０】
2008151874.tif 000012